(57)【要約】【課題】簡単な構成で、複数の装置が正確に同期して動作することのできる無線基地局システム、同期制御装置、同期システム、および同期方法を提供する。【解決手段】基準信号生成回路１４は、基準信号を生成して、各無線基地局２へ送信する。折返し回路１１は、基準信号を受信し、受信した基準信号をそのままＧＰＳユニット３へ折返す。タイミング調整部１７は、各無線基地局２へ基準信号を送信したタイミングと、各無線基地局２から折返されて送信されてくる基準信号を受信したタイミングとの差に基づいて、複数の無線基地局２において、基準信号を受信するタイミングが同一となるように、基準信号生成回路１４から各無線基地局２へ基準信号を送信するタイミングを調整する。ＰＬＬ回路１２は、受信した基準信号から基準信号に同期した同期信号を生成する。【選択図】図２
2011071900.tif 000002
【特許請求の範囲】
【請求項１】
複数の無線基地局と、前記複数の無線基地局へ互いに同期するための基準信号を供給する同期制御装置とからなる無線基地局システムであって、
前記同期制御装置は、
基準信号を生成して、各無線基地局へ送信する基準信号生成回路と、
各無線基地局へ前記基準信号を送信したときに、前記各無線基地局からそれぞれ折返されて送信されてくる基準信号を受信したタイミングを検出する検出回路と、
前記各無線基地局へ前記基準信号を送信したタイミングと、前記各無線基地局から折返されて送信されてくる基準信号を受信したタイミングとの差に基づいて、前記複数の無線基地局において、前記基準信号を受信するタイミングが同一となるように、前記基準信号生成回路から各無線基地局への基準信号を送信するタイミングを調整する調整部とを備え、
前記無線基地局は、
前記基準信号を受信し、前記受信した基準信号をそのまま前記同期制御装置へ折返す折返し回路と、
前記受信した基準信号から、前記基準信号に同期した同期信号を生成する同期回路とを備えた、無線基地局システム。
【請求項２】
前記同期制御装置は、さらに、
周期タイマを含み、
前記基準信号生成回路は、前記タイミングの調整前には、前記複数の無線基地局へ第１のタイマ値で同時に前記基準信号を送信し、
前記検出回路は、前記各無線基地局からそれぞれ折返されて送信されてくる基準信号を受信したときの第２のタイマ値を検出し、
前記調整部は、
各無線基地局について、前記第１のタイマ値と前記第２のタイマ値との差を算出して、前記算出したタイマ値の差の半分の値を伝送時間として算出する演算部と、
前記第１のタイマ値よりも前記伝送時間だけ早い第３のタイマ値で、前記基準信号生成回路から前記基準信号が各無線基地局へ送信されるように制御する制御部とを含む、請求項１記載の無線基地局システム。
【請求項３】
前記無線基地局システムは、
前記同期制御装置と、前記無線基地局との間を接続する多線式の通信ケーブルを備え、
前記通信ケーブルは、前記同期制御装置から送信される基準信号を伝送するための第１の伝送線と、前記無線基地局で折返された基準信号を伝送するための第２の伝送線とを含む、請求項２記載の無線基地局システム。
【請求項４】
複数の無線基地局へ互いに同期するための基準信号を供給する同期制御装置であって、
基準信号を生成して、各無線基地局へ送信する基準信号生成回路と、
各無線基地局へ前記基準信号を送信したときに、前記各無線基地局からそれぞれ折返されて送信されてくる基準信号を受信したタイミングを検出する検出回路と、
前記各無線基地局へ前記基準信号を送信したタイミングと、前記各無線基地局から折返されて送信されてくる基準信号を受信したタイミングとの差に基づいて、前記複数の無線基地局において、前記基準信号を受信するタイミングが同一となるように、前記基準信号生成回路から各無線基地局への基準信号を送信するタイミングを調整する調整部とを備えた、同期制御装置。
【請求項５】
複数の被制御装置と、前記複数の被制御装置へ互いに同期するための基準信号を供給する制御装置とからなる同期システムであって、
前記制御装置は、
基準信号を生成して、各被制御装置へ送信する基準信号生成回路と、
各被制御装置へ前記基準信号を送信したときに、前記各被制御装置からそれぞれ折返されて送信されてくる基準信号を受信したタイミングを検出する検出回路と、
前記各被制御装置へ前記基準信号を送信したタイミングと、前記各被制御装置から折返されて送信されてくる基準信号を受信したタイミングとの差に基づいて、前記複数の各被制御装置において、前記基準信号を受信するタイミングが同一となるように、前記基準信号生成回路から各被制御装置への基準信号を送信するタイミングを調整する調整部とを備え、
前記各被制御装置は、
前記基準信号を受信し、前記受信した基準信号をそのまま前記制御装置へ折返す折返し回路と、
前記受信した基準信号から、前記基準信号に同期した同期信号を生成する同期回路とを備えた、同期システム。
【請求項６】
複数の無線基地局と、前記複数の無線基地局へ互いに同期するための基準信号を供給する同期制御装置とからなる無線基地局システムの同期方法であって、
前記同期制御装置が、基準信号を生成して、各無線基地局へ送信するステップと、
前記無線基地局が、前記基準信号を受信し、前記受信した基準信号をそのまま前記同期制御装置へ折返すステップと、
前記同期制御装置が、各無線基地局へ前記基準信号を送信したときに、前記各無線基地局からそれぞれ折返されて送信されてくる基準信号を受信したタイミングを検出するステップと、
前記同期制御装置が、前記各無線基地局へ前記基準信号を送信したタイミングと、前記各無線基地局から折返されて送信されてくる基準信号を受信したタイミングとの差に基づいて、前記複数の無線基地局において、前記基準信号を受信するタイミングが同一となるように、各無線基地局への基準信号を送信するタイミングを調整するステップと、
前記無線基地局が、前記受信した基準信号から、前記基準信号に同期した同期信号を生成するステップとを備えた、同期方法。
【発明の詳細な説明】
【技術分野】
【０００１】
本発明は、無線基地局システム、同期制御装置、同期システム、および同期方法に関し、特に、複数の装置を同期して動作させるために、複数の装置に基準信号を供給する機能を有する無線基地局システム、同期制御装置、同期システム、および同期方法に関する。
【背景技術】
【０００２】
従来から、セル方式の無線通信システムにおいて、隣接するセル間での送受信タイミングの同期化が知られている。より具体的には、あるセルにおける無線基地局とそのセルに含まれる端末装置との間の送受信タイミングを、隣接するセルにおける無線基地局とその隣接するセルに含まれる端末装置との間の送受信タイミングと一致させることで、隣接するセルの無線基地局と端末装置との間の干渉、および、端末装置間の干渉を抑制することができる。
【０００３】
このようなセル間での送受信タイミングの同期化を実現する一形態として、時刻情報を含む衛星からの信号を利用する構成が考えられる。現時点において、このような時刻情報を含む衛星からの信号の典型例としては、ＧＰＳ（Global Positioning System）衛星からのＧＰＳ信号が知られている。すなわち、ＧＰＳ衛星からのＧＰＳ信号を受信するためのＧＰＳ受信機を各無線基地局に設けて、各無線基地局が共通のＧＰＳ信号に基づいて、送受信タイミングを同期化するものである。
【０００４】
しかしながら、精度の高い同期信号を生成するＧＰＳモジュールは、高価であるため、コストをより低減するために、複数の無線基地局が１つのＧＰＳ受信機を共用する形態が考えられている。たとえば、特開２０００−２３２６８８号公報（特許文献１）には、各基地局が、ＧＰＳ受信機に結合されたシステムが開示されている。このシステムでは、ＧＰＳ受信機がＧＰＳ衛星からのＧＰＳ信号を受信して、このＧＰＳ信号が複数の無線基地局での共通の時間的基準として用いられる。
【先行技術文献】
【特許文献】
【０００５】
【特許文献１】特開２０００−２３２６８８号公報
【発明の概要】
【発明が解決しようとする課題】
【０００６】
しかしながら、特許文献１のように、１台のＧＰＳ受信機から送信された基準信号を用いて、複数の無線基地局が、同期して無線端末との間で信号の送受信する場合には、次のような問題が生じる。
【０００７】
すなわち、通常では、ＧＰＳ受信機と各無線基地局との距離がまちまちなため、ある無線基地局には、基準信号が短時間で届くのに対して、別の無線基地局には、なかなか基準信号が届かないことがある。そのような場合には、複数の無線基地局において、無線端末との間の信号の送受信タイミングが一致しないことになる。
【０００８】
また、このような問題は、上記のような無線通信システムだけではなく、１台の制御装置からの基準信号を用いて、複数の被制御装置が、同期して動作するようなシステムにおいて、同様に生じる。
【０００９】
それゆえに、本発明の目的は、簡単な構成で、複数の装置が正確に同期して動作することのできる無線基地局システム、同期制御装置、同期システム、および同期方法に関する。
【課題を解決するための手段】
【００１０】
上記課題を解決するために、本発明は、複数の無線基地局と、複数の無線基地局へ互いに同期するための基準信号を供給する同期制御装置とからなる無線基地局システムであって、同期制御装置は、基準信号を生成して、各無線基地局へ送信する基準信号生成回路と、各無線基地局へ基準信号を送信したときに、各無線基地局からそれぞれ折返されて送信されてくる基準信号を受信したタイミングを検出する検出回路と、各無線基地局へ基準信号を送信したタイミングと、各無線基地局から折返されて送信されてくる基準信号を受信したタイミングとの差に基づいて、複数の無線基地局において、基準信号を受信するタイミングが同一となるように、基準信号生成回路から各無線基地局への基準信号を送信するタイミングを調整する調整部とを備え、無線基地局は、基準信号を受信し、受信した基準信号をそのまま同期制御装置へ折返す折返し回路と、受信した基準信号から、基準信号に同期した同期信号を生成する同期回路とを備える。
【００１１】
好ましくは、同期制御装置は、さらに、周期タイマを含み、基準信号生成回路は、タイミングの調整前には、複数の無線基地局へ第１のタイマ値で同時に基準信号を送信し、検出回路は、各無線基地局からそれぞれ折返されて送信されてくる基準信号を受信したときの第２のタイマ値を検出し、調整部は、各無線基地局について、第１のタイマ値と第２のタイマ値との差を算出して、算出したタイマ値の差の半分の値を伝送時間として算出する演算部と、第１のタイマ値よりも伝送時間だけ早い第３のタイマ値で、基準信号生成回路から基準信号が各無線基地局へ送信されるように制御する制御部とを含む。
【００１２】
好ましくは、無線基地局システムは、同期制御装置と、無線基地局との間を接続する多線式の通信ケーブルを備え、通信ケーブルは、同期制御装置から送信される基準信号を伝送するための第１の伝送線と、無線基地局で折返された基準信号を伝送するための第２の伝送線とを含む。
【００１３】
好ましくは、複数の無線基地局へ互いに同期するための基準信号を供給する同期制御装置であって、基準信号を生成して、各無線基地局へ送信する基準信号生成回路と、各無線基地局へ基準信号を送信したときに、各無線基地局からそれぞれ折返されて送信されてくる基準信号を受信したタイミングを検出する検出回路と、各無線基地局へ基準信号を送信したタイミングと、各無線基地局から折返されて送信されてくる基準信号を受信したタイミングとの差に基づいて、複数の無線基地局において、基準信号を受信するタイミングが同一となるように、基準信号生成回路から各無線基地局への基準信号を送信するタイミングを調整する調整部とを備える。
【００１４】
本発明は、複数の被制御装置と、複数の被制御装置へ互いに同期するための基準信号を供給する制御装置とからなる同期システムであって、制御装置は、基準信号を生成して、各被制御装置へ送信する基準信号生成回路と、各被制御装置へ基準信号を送信したときに、各被制御装置からそれぞれ折返されて送信されてくる基準信号を受信したタイミングを検出する検出回路と、各被制御装置へ基準信号を送信したタイミングと、各被制御装置から折返されて送信されてくる基準信号を受信したタイミングとの差に基づいて、複数の各被制御装置において、基準信号を受信するタイミングが同一となるように、基準信号生成回路から各被制御装置への基準信号を送信するタイミングを調整する調整部とを備え、各被制御装置は、基準信号を受信し、受信した基準信号をそのまま制御装置へ折返す折返し回路と、受信した基準信号から、基準信号に同期した同期信号を生成する同期回路とを備える。
【００１５】
本発明は、複数の無線基地局と、複数の無線基地局へ互いに同期するための基準信号を供給する同期制御装置とからなる無線基地局システムの同期方法であって、同期制御装置が、基準信号を生成して、各無線基地局へ送信するステップと、無線基地局が、基準信号を受信し、受信した基準信号をそのまま同期制御装置へ折返すステップと、同期制御装置が、各無線基地局へ基準信号を送信したときに、各無線基地局からそれぞれ折返されて送信されてくる基準信号を受信したタイミングを検出するステップと、同期制御装置が、各無線基地局へ基準信号を送信したタイミングと、各無線基地局から折返されて送信されてくる基準信号を受信したタイミングとの差に基づいて、複数の無線基地局において、基準信号を受信するタイミングが同一となるように、各無線基地局への基準信号を送信するタイミングを調整するステップと、無線基地局が、受信した基準信号から、基準信号に同期した同期信号を生成するステップとを備える。
【発明の効果】
【００１６】
本発明によれば、簡単な構成で、複数の装置が正確に同期して動作することができる。
【図面の簡単な説明】
【００１７】
【図１】本発明の実施形態の無線基地局システムの構成を表わす図である。
【図２】本発明の実施形態の無線基地局システムの各装置の内部構成を表わす図である。
【図３】本発明の実施形態の無線基地局システムの動作手順を表わすフローチャートである。
【図４】（ａ）は、ある無線基地局（ｊ）における、基準信号の送信タイミングの調整前の基準信号の送受信タイミングを表わす図である。（ｂ）は、無線基地局（ｊ）における、基準信号の送信タイミングの調整後の基準信号の送受信タイミングを表わす図である。
【図５】（ａ）は、ある無線基地局（ｋ）における、基準信号の送信タイミングの調整前の基準信号の送受信タイミングを表わす図である。（ｂ）は、無線基地局（ｋ）における、基準信号の送信タイミングの調整後の基準信号の送受信タイミングを表わす図である。
【発明を実施するための形態】
【００１８】
以下、本発明の実施形態について図面を参照して説明する。
（無線通信システムの構成）
図１は、本発明の実施形態の無線基地局システムの構成を表わす図である。
【００１９】
図１を参照して、無線基地局システム１は、複数のドメイン５０Ａ，５０Ｂを含む。
ドメイン５０Ａは、１つのＧＰＳユニット３ａと、ＧＰＳユニット３ａに通信ケーブル４Ａ＿１〜４Ａ＿Ｎを介して接続された複数の無線基地局２Ａ＿１〜２Ａ＿Ｎとを備える。ＧＰＳユニット３ａから、ドメイン５０Ａ内の複数の無線基地局２Ａ＿１〜２Ａ＿Ｎへ基準信号が供給される。ドメイン５０Ａ内の複数の無線基地局２Ａ＿１〜２Ａ＿Ｎは、受信した基準信号に同期して動作する。このように、ＧＰＳユニット３ａから、ドメイン５０Ａ内の複数の無線基地局２Ａ＿１〜２Ａ＿Ｎへ基準信号を送信することによって、同一のドメイン５０Ａに属する複数の無線基地局２Ａ＿１〜２Ａ＿Ｎがカバーするセル内では、無線信号の送信および受信タイミングのずれによる干渉（混信）を低減できる。
【００２０】
同様に、ドメイン５０Ｂは、１つのＧＰＳユニット３ｂと、ＧＰＳユニット３ｂに通信ケーブル４Ｂ＿１〜４Ｂ＿Ｎを介して接続された複数の無線基地局２Ｂ＿１〜２Ｂ＿Ｎとを備える。ＧＰＳユニット３ｂから、ドメイン５０Ｂ内の複数の無線基地局２Ｂ＿１〜２Ｂ＿Ｎへ基準信号が供給される。ドメイン５０Ｂ内の複数の無線基地局２Ｂ＿１〜２Ｂ＿Ｎは、受信した基準信号に同期して動作する。
【００２１】
なお、以下の説明では、複数のＧＰＳユニット３ａ、３ｂを代表して、ＧＰＳユニット３と称し、複数の無線基地局２Ａ＿１〜２Ａ＿Ｎ、２Ｂ＿１〜２Ｂ＿Ｎを代表して、無線基地局２と称し、複数の通信ケーブル４Ａ＿１〜４Ａ＿Ｎ、４Ｂ＿１〜４Ｂ＿Ｎを代表して、通信ケーブル４と称することもある。
【００２２】
（無線基地局システムの構成）
図２は、本発明の実施形態の無線基地局システムの各装置の内部構成を表わす図である。図２では、１台の無線基地局を代表して表わしている。
【００２３】
図２を参照して、この無線基地局システムにおいて、ＧＰＳユニット３と、無線基地局２との間は、多線式の通信ケーブル４で接続される。通信ケーブル４は、ＧＰＳユニット３から送信される基準信号を伝送するための第１の伝送線４ａと、無線基地局２で折返された基準信号を伝送するための第２の伝送線４ｂとを含む。
【００２４】
ＧＰＳユニット３は、アンテナ２１と、基準信号生成回路１４と、周期タイマ１５と、折返しタイミング検出回路１６と、タイミング調整部１７とを含む。
【００２５】
アンテナ２１は、ＧＰＳ衛星５２からのＧＰＳ信号を受信する。
周期タイマ１５は、タイマ値を出力する。周期タイマ１５のタイマ値は、一定の周期で循環する。
【００２６】
基準信号生成回路１４は、通信ケーブル４の第１の伝送線４ａと接続される。基準信号生成回路１４は、受信したＧＰＳ信号に含まれる時刻情報に基づいて、タイミング信号である基準信号を一定周期（周期タイマの周期）で生成して、通信ケーブル４の第１の伝送線４ａを介して、複数の無線基地局２へ送信する。基準信号生成回路１４は、送信タイミングの調整前は、周期タイマ１５の初期タイマ値で基準信号を送信する。基準信号生成回路１４は、送信タイミングの調整後は、周期タイマ１５の調整タイマ値で基準信号を送信する。
【００２７】
折返しタイミング検出回路１６は、通信ケーブル４の第２の伝送線４ｂと接続される。折返しタイミング検出回路１６は、各無線基地局２から通信ケーブル４の第２の伝送線４ｂを介して送信される折返し基準信号を受信し、折返し基準信号を受信したタイミングを表わす周期タイマ１５のタイマ値を差分計算回路１０へ出力する。
【００２８】
タイミング調整部１７は、各無線基地局２へ基準信号を送信したタイミングと、各無線基地局２から折返されて送信されてくる折返し基準信号を受信したタイミングとの差に基づいて、複数の無線基地局２において、基準信号を受信するタイミングが同一となるように、基準信号生成回路１４から各無線基地局２への基準信号を送信するタイミングを調整する。
【００２９】
具体的には、タイミング調整部１７は、差分計算回路１０と、伝送時間計算回路１９と、送信制御部１８とを備える。
【００３０】
差分計算回路１０は、各無線基地局２について、折返し基準信号の受信タイミングを表すタイマ値と、基準信号の送信タイミングを表わす初期タイマ値とのタイミング差ＤＦを計算する。
【００３１】
伝送時間計算回路１９は、各無線基地局について、タイミング差ＤＦを１／２にすることによって、伝送時間ＤＬを計算する。
【００３２】
送信制御部１８は、各無線基地局２に対して、周期タイマ１５の初期タイマ値よりも伝送時間ＤＬだけ早い周期タイマ１５の調整タイマ値で、基準信号生成回路１４から基準信号が送信されるように制御する。
【００３３】
無線基地局２は、アンテナ２２，２３と、折返し回路１１と、ＰＬＬ（Phase-locked loop）回路と、送受信回路１３とを備える。
【００３４】
アンテナ２２，２３は、無線端末からの無線信号を受信し、無線端末への無線信号を送信する。
【００３５】
折返し回路１１は、たとえばＰＬＤ（Programmable Logic Device）で構成されている。折返し回路１１は、通信ケーブル４と接続される。折返し回路１１は、ＧＰＳユニット３から通信ケーブル４の第１の伝送線４ａを介して送信された基準信号をそのまま折り返して、通信ケーブル４の第２の伝送線４ｂへ出力する。
【００３６】
ＰＬＬ回路１２は、ＧＰＳユニット３から通信ケーブル４の第１の伝送線４ａを介して送信されてくる周期的な基準信号を元にフィードバック制御を加えて、基準信号の位相に同期した同期信号を生成する。
【００３７】
送受信回路１３は、アンテナ２２，２３から出力される無線端末からの信号を受信処理し、アンテナ２２，２３を通じて出力する無線端末への信号を送信処理する。送受信回路１３は、たとえば、符号化回路、変調回路、復号回路、復調回路、ＭＩＭＯ(Multi In Multi Output)信号処理部などを含む。送受信回路１３は、ＰＬＬ回路１２から出力される同期信号に従って、送受信処理を行なう。
【００３８】
（動作）
図３は、本発明の実施形態の無線基地局システムの動作手順を表わすフローチャートである。図３では、複数個の無線基地局のうちの１つの無線基地局を無線基地局（ｉ）として、その動作を代表して表わす。
【００３９】
まず、ＧＰＳユニット３の基準信号生成回路１４は、パルス状の基準信号Ｓ１を生成して、通信ケーブル４を介して、複数の無線基地局２へ送信する。基準信号生成回路１４は、基準信号を生成した時点（つまり、パルスの立下りエッジのタイミング）の周期タイマ１５の初期タイマ値ｎ１（送信タイミング）を差分計算回路１０へ出力する（ステップＳ１０１）。
【００４０】
次に、無線基地局（ｉ）の折返し回路１１は、通信ケーブル４を介してパルス状の基準信号Ｓ２（ｉ）を受信し、受信した基準信号をそのまま折返して通信ケーブル４を介して、ＧＰＳユニット３へ送信する（ステップＳ１０２）。
【００４１】
次に、ＧＰＳユニット３の折返しタイミング検出回路１６は、無線基地局（ｉ）から通信ケーブル４を介して送信される折返し基準信号Ｓ３（ｉ）を受信し、折返し基準信号Ｓ３（ｉ）を受信した時点（つまり、パルスの立下りエッジのタイミング）の周期タイマ１５のタイマ値ｎ２（ｉ）（受信タイミング）を差分計算回路１０へ出力する（ステップＳ１０３）。
【００４２】
次に、ＧＰＳユニット３の差分計算回路１０は、無線基地局（ｉ）について、折返し基準信号Ｓ３（ｉ）の受信タイミングであるタイマ値ｎ２（ｉ）と、基準信号の送信タイミングである初期タイマ値ｎ１とのタイミング差ＤＦ（ｉ）（＝ｎ２（ｉ）−ｎ１）を計算する（ステップＳ１０４）。
【００４３】
次に、ＧＰＳユニット３の伝送時間計算回路１９は、無線基地局（ｉ）について、タイミング差ＤＦ（ｉ）を１／２にすることによって、伝送時間ＤＬ（ｉ）（＝ＤＦ（ｉ）／２）を計算する（ステップＳ１０５）。
【００４４】
次に、ＧＰＳユニット３の送信制御部１８は、周期タイマ１５のタイマ値ｎ１よりも伝送時間ＤＬ（ｉ）だけ早い周期タイマ１５の調整タイマ値ｎ３（i）で、基準信号生成回路１４から基準信号が無線基地局（ｉ）へ送信されるように制御する。基準信号生成回路１４は、周期タイマ１５の調整タイマ値ｎ３（ｉ）で、無線基地局（ｉ）へ基準信号Ｓ１（ｉ）を送信する（ステップＳ１０６）。
【００４５】
次に、無線基地局（ｉ）のＰＬＬ回路１２は、通信ケーブル４を介して、基準信号Ｓ２（ｉ）を受信し、基準信号Ｓ２（ｉ）の位相に同期した同期信号を生成する（ステップＳ１０７）。
【００４６】
次に、無線基地局（ｉ）の送受信回路１３は、ＰＬＬ回路１２で生成された同期信号に基づいて、無線端末との間の信号の送受信を行なう（ステップＳ１０８）。
【００４７】
（動作例１）
図４（ａ）は、ある無線基地局（ｊ）における、基準信号の送信タイミングの調整前の基準信号の送受信タイミングを表わす図である。
【００４８】
図４（ａ）を参照して、ＧＰＳユニット３の基準信号生成回路１４から周期タイマ１５の初期タイマ値ｎ１（＝０）で、基準信号Ｓ１が送信される。
【００４９】
無線基地局（ｊ）の折返し回路１１において、基準信号Ｓ２（ｊ）を受信する。このとき、周期タイマ１５は、タイマ値ｍ１（ｊ）（＝８）を計時する。
【００５０】
ＧＰＳユニット３の折返しタイミング検出回路１６において、周期タイマ１５のタイマ値ｎ２（ｊ）（＝１６）で折返し基準信号Ｓ３（ｊ）を受信する。
【００５１】
ＧＰＳユニット３の差分計算回路１０および伝送時間計算回路１９において、伝送時間ＤＬ（ｊ）が、（１６−０）／２＝８として算出される。
【００５２】
図４（ｂ）は、無線基地局（ｊ）における、基準信号の送信タイミングの調整後の基準信号の送受信タイミングを表わす図である。
【００５３】
図４（ｂ）を参照して、ＧＰＳユニット３の基準信号生成回路１４から、初期タイマ値ｎ１（＝０）よりも伝送時間ＤＬ（ｉ）（＝８）だけ早い周期タイマ１５の調整タイマ値ｎ３（ｊ）（＝−８）で、基準信号Ｓ１（ｊ）が送信される。
【００５４】
無線基地局（ｊ）のＰＬＬ回路１２は、基準信号Ｓ２（ｊ）を受信する。このとき、周期タイマ１５は、タイマ値ｍ２（ｊ）（＝０）を計時する。
【００５５】
（動作例２）
図５（ａ）は、別の無線基地局（ｋ）における、基準信号の送信タイミングの調整前の基準信号の送受信タイミングを表わす図である。
【００５６】
図５（ａ）を参照して、ＧＰＳユニット３の基準信号生成回路１４から周期タイマ１５の初期タイマ値ｎ１（＝０）で、基準信号Ｓ１が送信される。
【００５７】
無線基地局（ｋ）の折返し回路１１において、基準信号Ｓ２（ｋ）を受信する。このとき、周期タイマ１５は、タイマ値ｍ１（ｋ）（＝１０）を計時する。
【００５８】
ＧＰＳユニット３の折返しタイミング検出回路１６において、周期タイマ１５のタイマ値ｎ２（ｋ）（＝２０）で折返し基準信号Ｓ３（ｋ）を受信する。
【００５９】
ＧＰＳユニット３の差分計算回路１０および伝送時間計算回路１９において、伝送時間ＤＬ（ｋ）が、（２０−０）／２＝１０として算出される。
【００６０】
図５（ｂ）は、無線基地局（ｋ）における、基準信号の送信タイミングの調整後の基準信号の送受信タイミングを表わす図である。
【００６１】
図５（ｂ）を参照して、ＧＰＳユニット３の基準信号生成回路１４から、初期タイマ値ｎ１（＝０）よりも伝送時間ＤＬ（ｋ）（＝１０）だけ早い周期タイマ１５の調整タイマ値ｎ３（ｋ）（＝−１０）で、基準信号Ｓ１（ｋ）が送信される。
【００６２】
無線基地局（ｋ）のＰＬＬ回路１２は、基準信号Ｓ２（ｋ）を受信する。このとき、周期タイマ１５は、タイマ値ｍ２（ｋ）（＝０）を計時する。
【００６３】
図４および図５で示したように、無線基地局（ｊ）と無線基地局（ｋ）は、周期タイマ１５のタイマ値が０の時点で、それぞれ基準信号Ｓ２（ｊ）、Ｓ２（ｋ）をそれぞれ受信する。したがって、無線基地局（ｊ）と無線基地局（ｋ）のＰＬＬ回路１２に入力される基準信号のタイミングが同一となり、無線基地局（ｊ）と無線基地局（ｋ）とは、それぞれの無線端末との間の送受信動作を互いに同期して行なうことができる。
【００６４】
以上のように、本発明の実施形態では、無線基地局から基準信号を折返して、ＧＰＳユニットで、折返された基準信号の受信タイミングに応じてＧＰＳユニットから無線基地局までの基準信号の伝送時間を求めて、この伝送時間に応じたタイミングで基準信号を送信するように調整することによって、複数の無線基地局において、基準信号を受信するタイミングを一致させることができる。
【００６５】
本発明は、上記の実施形態に限定されるものではなく、たとえば以下のような変形例も含む。
【００６６】
（１）  ＧＰＳユニット
本発明の実施形態では、ＧＰＳ信号を受信するＧＰＳユニットから、ドメイン内の複数の無線基地局へ基準信号を送信したが、これに限定するものではなく、その他の基準信号を供給できるものであれば、どのようなものであってもよい。
【００６７】
（２）  同期制御
本発明の実施形態では、複数の無線基地局を互いに同期して動作させるための無線基地局システムについて説明したが、これに限定されるものではない。本発明の実施形態で説明した同期制御方法およびその構成は、複数の被制御装置と複数へ被制御装置に互いに同期するための基準信号を供給する制御装置とからなる同期システムに適用可能である。
【００６８】
（３）  タイミング調整
本発明の実施形態では、初期タイマ値よりも、各無線基地局への伝送時間だけ早いタイミングを表わす周期タイマの調整タイマ値で、基準信号を送信したが、これに限定するものではない。伝送時間に比例して、基準信号の送信タイミングを早くすればよい。たとえば、任意のｊ、ｋについて、無線基地局ｊの伝送時間がＤｊで、無線基地局ｋの伝送時間がＤｋ（Ｄｊ＜Ｄｋ）の場合には、無線基地局ｋへの基準信号の送信タイミングよりも（Ｄｋ−Ｄｊ）だけ後のタイミングで無線基地局ｊへの基準信号を送信するようにすればよい。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１  無線基地局システム、２Ａ＿１〜２Ａ＿Ｎ，２Ｂ−１，２Ｂ＿Ｎ，２  無線基地局、３ａ，３ｂ，３  ＧＰＳユニット、４Ａ＿１〜４Ａ＿Ｎ，４Ｂ＿１〜４Ｂ＿Ｎ，４  通信ケーブル、４ａ  第１の伝送線、４ｂ  第２の伝送線、１０  差分計算回路、１１  折返し回路、１２  ＰＬＬ回路、１３  送受信回路、１４  基準信号生成回路、１５  周期タイマ、１６  折返しタイミング検出回路、１７  タイミング調整部、１８  送受信制御部、１９  伝送時間計計算回路、２１，２２，２３  アンテナ、５０Ａ，５０Ｂ  ドメイン。
【図１】
2011071900.tif 000003
【図２】
2011071900.tif 000004
【図３】
2011071900.tif 000005
【図４】
2011071900.tif 000006
【図５】
2011071900.tif 000007